(57)【特許請求の範囲】
【請求項１】
左右のカップ部と、これらカップ部を体に密着して保持するためのホルダー部と、前記ホルダー部のそれぞれの先端部に取り付けられた互いに掛止する掛止片とからなる女性用被服において、
前記ホルダー部は、前記カップ部を保持するカップフレーム部と、脇から背中部分にかけて体に巻き付けるように装着する左右のパネル部とからなり、前記左右のパネル部の下縁部が伸縮性のあるテープ部材で形成され、前記カップフレーム部は、その下縁部に伸縮性のあるテープ部材が取り付けられ、その上縁部に非伸縮性のテープ部材が取り付けられているとともに、これらテープ部材間が開放状態とされている、または、前記テープ部材間に伸縮性を有する部材が取り付けられていることにより、前記左右のカップ部は、前記非伸縮性テープ部材によって上部が連結され、前記伸縮性テープ部材によって下部が連結された構造となっていることを特徴とする女性用被服。
【発明の詳細な説明】
【技術分野】
【０００１】
本発明は、左右のカップ部と、これらカップ部を体に密着して保持するためのホルダー部と、前記ホルダー部のそれぞれの先端部に取り付けられた互いに掛止する掛止片とからなる女性用被服に係り、より詳細には、両腕を上下させた場合でも体（胴体）にフィットしてずれることのない女性用被服、特にブラジャーに関する。
【背景技術】
【０００２】
従来より、体へのフィット感を向上させたブラジャーが提案されている（例えば、特許文献１参照）。
【０００３】
このブラジャーは、図５に示すように、フロントホックタイプであって、左右のカップ部１０１，１０２と、脇から背中部分にかけて巻き付けるように装着するパネル部１０３とからなる。この左右のカップ部１０１，１０２とパネル部１０３とは、それぞれ脇腹部分１０１ａ、１０２ａで縫着されている。また、パネル部１０３の上縁部および下縁部には、伸縮性のあるテープ部材１０５，１０６がそれぞれ取り付けられるとともに、このテープ部材１０５，１０６が背中の中央部において交叉するように設けられている。
【０００４】
このような構造のブラジャーによれば、パネル部を構成する上下の両テープ部材を、背中の中央部でたすき状に交叉するように構成したので、腕を上げ下げ等しても、カップ部やパネル部、特にパネル部が脇腹の筋肉の上下動によって上下にずれるといったことがなく、脇腹の所定位置に安定的にフィットさせることができる。
【特許文献１】特開２００１−１１５３０５号公報
【発明の開示】
【発明が解決しようとする課題】
【０００５】
しかし、上記特許文献１のブラジャーでは、左右のカップ部１０１，１０２がフロントホックで繋がれているため、カップ部１０１，１０２間は全く伸縮しない構造となっている。
【０００６】
一般に、腕を上げ下げした場合や、左右に開くような動作を行った場合には、バスト部分もこれに伴って動くことになるが、上記特許文献１のブラジャーでは、このようなバスト部分の動きにカップ部が追従できず、体へのフィット感はあるものの、カップ部についてはバスト部へのフィット感はいまひとつ物足りないものであった。
【０００７】
本発明はかかる問題点を解決すべく創案されたもので、その目的は、腕を上げ下げした場合や、左右に開くような動作を行った場合でも、カップ部がバスト部の動きに追従できるようにした女性用被服を提供することにある。
【課題を解決するための手段】
【０００８】
上記課題を解決するため、本発明の女性用被服は、左右のカップ部と、これらカップ部を体に密着して保持するためのホルダー部と、前記ホルダー部のそれぞれの先端部に取り付けられた互いに掛止する掛止片とからなる女性用被服において、前記ホルダー部は、前記カップ部を保持するカップフレーム部と、脇から背中部分にかけて体に巻き付けるように装着する左右のパネル部とからなる。
【０００９】
すなわち、本発明の女性用被服によれば、左右のパネル部の下縁部のみならず、カップ部を受けているカップフレーム部の下縁部も伸縮性を有するので、腕を上げ下げした場合や、左右に開くような動作を行った場合でも、カップフレーム部がこの動きに追従して伸縮することから、カップ部もバスト部の動きに追従し、良好なフィット感を得ることができる。この場合、前記左右のパネル部の上縁部も伸縮性のあるテープ部材で形成しておけば、体へのフィット感がさらに増すことになる。
【００１０】
また、前記左右のパネル部の下縁部が伸縮性のあるテープ部材で形成され、前記カップフレーム部は、その下縁部に伸縮性のあるテープ部材が取り付けられ、その上縁部に非伸縮性のテープ部材が取り付けられているとともに、これらテープ部材間が開放状態とされている、または、前記テープ部材間に伸縮性を有する部材が取り付けられていることにより、前記左右のカップ部は、前記非伸縮性テープ部材によって上部が連結され、前記伸縮性テープ部材によって下部が連結された構造となっている。これにより、左右のカップ部は、この非伸縮性のテープ部材の部分を起点として、アンダーバスト側が開くように回動することになる。腕を上げる動作では、筋肉の動きにより、バストの上側より下側（アンダーバスト部分）がより脇側に引き上げられるため、カップフレーム部の上縁部を非伸縮性、下縁部を伸縮性とすることで、このようなバストの動きに追従して、カップ部も動くことになる。
【発明の効果】
【００１１】
本発明の女性用被服によれば、カップ部を受けているカップフレーム部の下縁部も伸縮性を有するので、腕を上げ下げした場合や、左右に開くような動作を行った場合でも、カップフレーム部の下縁部がこの動きに追従して伸縮することから、カップ部もバスト部の動きに追従し、良好なフィット感を得ることができる。
【発明を実施するための最良の形態】
【００１２】
以下、本発明の実施の形態について、図面を参照して説明する。
【００１３】
図１は、本発明の女性用被服であるブラジャーの構造を示す正面図、図２は、同背面図、図３は体に装着して腕を上げた状態を示す斜視図である。
【００１４】
本実施の形態のブラジャーは、左右のカップ部１，２と、これらカップ部１，２を体に密着して保持するためのホルダー部３と、ホルダー部３のそれぞれの先端部に取り付けられた互いに掛止する止め金具４ａ及びフックアイ４ｂとからなる。
【００１５】
また、ホルダー部３は、カップ部１，２を保持するカップフレーム部３１と、脇から背中部分にかけて体に巻き付けるように装着する左右のパネル部３２，３３とからなる。左カップ部１と左パネル部３２、及び右カップ部２と右パネル部３３とは、それぞれ脇腹部分１ａ，２ａで縫着されている。
【００１６】
左パネル部３２は、その上縁部及び下縁部にそれぞれ伸縮性のあるテープ部材５，６が取り付けられており、これらテープ部材５，６の一端部が左カップ部１の脇腹部分１ａに取り付けられ、他端部が止め金具４ａに取り付けられている。また、右パネル部３３は、その上縁部及び下縁部にそれぞれ伸縮性のあるテープ部材５，６が取り付けられており、これらテープ部材５，６の一端部が右カップ部２の脇腹部分２ａに取り付けられ、他端部がフックアイ４ｂに取り付けられている。
【００１７】
さらに、カップフレーム部３１は、その下縁部に伸縮性のあるテープ部材７が取り付けられており、上縁部に非伸縮性のテープ部材８が取り付けられている。左右のカップ部１，２は、この非伸縮性テープ部材８によって上部が連結されており、伸縮性テープ部材７によって下部が連結された構造となっている。
【００１８】
なお、左右のパネル部３２，３３の各テープ部材５，６の間は開放状態でもよいが、本実施形態では、この間に伸縮性を有するレース部材１０が、テープ部材５，６を被覆する化粧パネルとして取り付けられている。同様に、カップフレーム部３１の上下のテープ部材７，８の間も開放状態でもよいが、本実施形態では、この間に伸縮性を有するレース部材１０が、テープ部材７，８を被覆する化粧パネルとして取り付けられている。ただし、これらレース部材１０は、各テープ部材５，６，７の伸縮性に影響を与えない程度の伸縮性が必要である。
【００１９】
本実施形態のブラジャーによれば、左右のパネル部３２，３３の下縁部及びカップフレーム部３１の下縁部の全体が、長手方向に沿って伸縮可能に設けられている。特に、カップフレーム部３１の下縁部の全体が長手方向に沿って伸縮可能設けられていることで、カップ部２，３自体も、カップフレーム部３１の上縁部の非伸縮性テープ８の部分を起点として、アンダーバスト側が開くように回動可能となっている。腕を上げる等の動作では、筋肉の動きにより、バストの上側より下側（アンダーバスト部分）がより脇側に引き上げられるため、カップフレーム部３１の上縁部を非伸縮性、下縁部を伸縮性とすることで、このようなバストの動きに追従して、カップ部１，２も動くことになる。
【図面の簡単な説明】
【００２０】
【図１】本発明の女性用被服であるブラジャーの構造を示す正面図である。
【図２】本発明の女性用被服であるブラジャーを体に装着した状態を示す背面図である。
【図３】本発明の女性用被服であるブラジャーを体に装着して腕を上げた状態を示す斜視図である。
【符号の説明】
【００２１】
１  左カップ部
２  右カップ部
１ａ，２ａ  脇腹部分
３  ホルダー部
４ａ  止め金具（掛止片）
４ｂ  フックアイ（掛止片）
５，６，７，８  テープ部材
１０  レース部材
３１  カップフレーム部
３２  左パネル部
３３  右パネル部
【図１】
0004567583.tif 000002
【図２】
0004567583.tif 000003
【図３】
0004567583.tif 000004